(57)【特許請求の範囲】
【請求項１】
一枚の板材で一体に形成するテープホルダーに巻出しコアに係合する係止手段と、巻取りコアに係合する係止手段を形成し、転写テープを巻付けた巻出しコアと転写済の転写テープを巻取る巻取りコアを、巻出しコアの巻出し点と巻取りコアの巻取り点を同一側縁側に位置させて前記テープホルダーに形成した係止手段に着脱自在に装着するとともに、前記テープホルダーには巻出しコアから引き出されて巻取りコアに巻取られる転写テープを外側方に誘導するテープガイドを備えたことを特徴とする塗布膜転写具における詰替え用転写テープ。
【請求項２】
一枚の板材で形成するテープホルダーは、細幅の支持杆が二方向に分岐し、その先端にそれぞれ折り返しの舌片によって巻出しコアに係合する係止手段と巻取りコアの係止手段を形成するとともに、分岐する支持杆の基部に折り返しの舌片によってテープガイドを形成してなる請求項１記載の塗布膜転写具における詰替え用転写テープ。
【請求項３】
巻出しコアから引き出されて巻取りコアに巻取られる転写テープを外側方に誘導するテープガイドは２以上の複数の突起からなり、転写テープを前記２以上の突起の間を通過させて二つの突起と転写テープとの間に摩擦を生じる態様で装着してなる請求項１又は２記載の塗布膜転写具における詰替え用転写テープ。
【発明の詳細な説明】
【０００１】
【産業上の利用分野】
片面に修正剤や蛍光剤あるいは粘着剤などを塗布した転写テープをケース内に収容し、巻出しコアに巻回してある転写テープを器外に突出している転写ヘッドに巻回させ器内の巻取りコアに巻取る塗布膜転写具が知られている。本発明は、上記塗布膜転写具に用いられる詰替え用の転写テープに関する発明である。
【０００２】
【従来の技術】
塗布膜転写具において転写テープを詰替える場合、特開平６−２８６９２７号公報や実開平６−３３８６３号公報、実開平６−３５２４６号公報に開示されるように、巻出しコアと巻取りコア及び転写ヘッドを一組としたカセットを着脱するものが知られている。
【０００３】
【発明が解決しようとする課題】
転写テープを詰替える場合、従来の巻出しコアと巻取りコア及び転写ヘッドを一組としたカセットを着脱するものでは、巻出しコアや巻取りコアと一緒に元来取り替える必要のない転写ヘッドも取り替えているため、詰替え用カセットそのものが高価なものとなる欠点があった。また、巻出しコアと巻取りコアのみを取り替えようとすると、巻出しコアから引き出した転写テープを転写ヘッドに巻回させて装着するのが困難であるという欠点があった。
【０００４】
上記従来技術の欠点に鑑み、本発明は使用済の転写テープの詰替えが容易であって、かつ従来のカセットのように転写ヘッドまで取り替える無駄がなく、安価に供給することができる詰替え用転写テープを提供することを目的とするものである。
【０００５】
【課題を解決するための手段】
本発明に係る詰替え用転写テープは、テープホルダー３と、テープホルダー３に対し着脱自在に装着した巻出しコア１及び巻取りコア２とで構成する。新たな転写テープを巻出す巻出しコア１と、巻出されて転写作業に供された後の使用済の転写テープを巻取る巻取りコア２は、巻出し点と巻取り点が同一側縁側に位置するようにテープホルダー３に装着するとともに、テープホルダー３には、巻出しコア１から引き出された転写テープを外側方に誘導するテープガイド７を設ける。このテープホルダー３は一枚の板材で一体に形成する。
一枚の板材で形成するテープホルダー３は、細幅の支持杆3a，3bが二方向に分岐する一枚の弾性を有する板材で一体に形成し、巻出しコア１と巻取りコア２の係止手段及びテープガイド７は、支持杆3a，3bの基部において板材の一部を折り返した舌片によって形成することができる。また、テープガイド７は２以上の突起によって形成することができ
【０００６】
【作用】
塗布膜転写具から使用済の転写テープを取り除いた後、新たな転写テープに詰替えようとする場合、テープホルダー３に保持された巻出しコア１及び巻取りコア２を塗布膜転写具のそれぞれの装着位置に合わせて嵌め込む。このとき、テープホルダー３に保持された転写テープは、塗布膜転写具の転写ヘッドの外側を通過させるべく、テープガイド７によって外側方に誘導される。
上記テープガイド７を２以上の複数の突起で形成し、転写テープを該突起の間を通過させて装着している場合、突起と転写テープとの摩擦により転写テープと突起の安定した接触状態が維持されることにより、係合が外れるのを防止するとともに、テープの妄動が阻止されることになる。また、テープホルダー３を巻出しコア１、巻取りコア２及び転写テープから外す場合にも容易に外すことができる。
【０００７】
【実施例】
以下、本発明塗布膜転写具における詰替え用転写テープの実施例を添付の図面に基づいて説明する。
図１は、本発明の実施例であって、新たな転写テープ４を巻回した巻出しコア１と、転写テープ４の先端もしくは転写テープ４のリードテープが巻付けられている巻取りコア２と、テープホルダー３を分離して示す斜視図である。巻取りコア２には、巻出しコア１の巻出し点と巻取りコア２の巻取り点が同一側縁側に位置するように巻回してある。
【０００８】
図２は、図１に示す実施例のテープホルダー３のみの展開図である。テープホルダー3は、例えば薄い硬質塩化ビニール樹脂のシート材のような適度な弾性を有する合成樹脂材により形成することができる。図示実施例では、板材を基部から分岐杆3a，3bが分岐するＹ字状に形成し、分岐杆3a，3bの先端に巻出し及び巻取りコアの係止手段として折曲加工により舌片５，６を形成している。舌片５と６の間隔は転写具における装着位置、すなわちそれぞれのコアが装着されるべき軸の軸間寸法と一致するようにしてある。また、分岐杆3aの基部には巻出しコア１から巻出された転写テープ４を外方に誘導するテープガイド７を設けている。この、テープガイド７は、舌片５，６と同じようにテープホルダーの一部を折曲した舌片として形成している。また、転写テープを転写具に装着する時に把持部となるテープホルダーの基部には、摘みもしくは滑り止めとして突起８を設けている。
【０００９】
図１の実施例の巻出しコア１は、外鍔状のテープガイド１ａの中心に巻取り軸１ｂを突出させ、上端は新たな転写テープ４が露出する状態に巻回するとともに、巻取りコア２は上端に外鍔状のテープガイド２ａを形成し、中心に巻取り軸２ｂを垂設させている。巻出しコア１には下端に、巻取りコア２には上端にテープガイドを設けることにより、スムーズに新たな転写テープを巻き出し、転写後巻取りコアに巻き取ることができる。テープホルダーの舌片５，６は、巻出しコア１の巻取り軸１ｂ及び巻取りコア２の巻取り軸２ｂに嵌合して係止させることができるように軸孔の内接寸法と一致する幅に形成する。
【００１０】
図３は、テープホルダーを略方形の板状とした実施例を示す斜視図、図４はそのテープホルダーの展開図である。板状のテープホルダーには、例えばコアを抱持するような別の部材を貼着したり、スナップボタンのようにコアの一部に嵌合する係止手段を塑性加工によって形成することもできるが、図示実施例では、平面的な板材から製造するようにしている。すなわち、方形のホルダー主体３Ａに突出形成した突出片を折曲して、コアを係止することができる舌片５，６とテープガイド７を形成する。また、板状のテープホルダーの主体３Ａには、外側部分に摘み１１を突出させ、詰替え作業時に持ち易いようにしている。
【００１１】
さらに、図３に示す実施例では、舌片５，６をより確実にコアと係止できるように、巻出しコア１の巻取り軸１ｂに嵌合溝９を、巻取りコア２の巻取り軸２ｂに嵌合溝１０を刻設するとともに、巻取りコア２には転写テープがより確実に巻き取られるように、下端にも外鍔状のテープガイド２ｃを形成してある。また、舌片５と６の先端には巻出しコア１と巻取りコア２を装着するべき転写具の駆動軸に係合する突起１２，１３を突出させている。これにより、転写テープを詰替える場合に、テープホルダーの摘み１１を持ち、巻出しコア１や巻取りコア２が係止されている舌片先端の突起１２，１３を、転写具の駆動軸に係合させ、その状態で巻出しコア１と巻取りコア２を押し出すことによりスムーズに装着することができる。
【００１２】
図５はテープホルダーの別の実施例を示す下方斜視図である。この実施例ではテープガイド７を接近させて配置した二つの円柱状の突起７ａ，７ｂで構成するとともに、巻出しコア及び巻取りコアとの係止手段として、巻出しコアの巻出し軸１ｂに嵌合する保持筒２３と、巻取りコアの巻取り軸２ｂに嵌合する保持筒２４をテープホルダー３に一体的に形成している。図示実施例において、二つの突起７ａ，７ｂは円柱状としているが、必ずしも円柱状である必要はなく角柱や半円柱状であってもよい。また、突起７ａ，７ｂはある程度間隔を離して配置することもできるが、なるべく接近させて配置するのが好ましい。
【００１３】
図６は、図５に示すテープホルダーに巻出しコア１及び巻取りコア２を装着した状態を示す平面図である。テープガイド７を二つの突起７ａ，７ｂで構成する実施例では、転写テープ４を二つの突起の外側に巻回させることもできるが、二つの突起７ａ，７ｂの間を通過させて装着することができる。図６に示すように、転写テープを二つの突起７ａ，７ｂの間を通過させて装着すると、突起と転写テープの摩擦により、妄りに転写テープがテープガイドから外れる虞がないものとすることができるとともに、二つのコア間の転写テープが緩むことを防止することができることになる。同時に、テープホルダーを外す場合は、一定条件で係止されている転写テープを滑らせて外すことになり、不用意にテープガイドを転写テープに引っ掛けて転写テープを巻き出してしまうようなことがなくなる。
【００１４】
図７は、テープホルダーを一枚の合成樹脂板で形成する場合に、二つのテープガイドを形成する実施例を示すものである。この実施例では、切り起こしによって二箇所に舌片を形成し、この舌片を折曲形成によってそれぞれ対向面が円弧状となるような突起７ａ，７ｂを形成するようにしている。対向面を円弧状に成型することによって強度的にも丈夫で、転写テープを傷つけることなく、かつ転写テープと適度な接触状態となる突起を形成することができる。
【００１５】
図８は、本発明に係る転写テープを装着する塗布膜転写具の実施例を示す開蓋状態の平面図、図９は転写テープを装着した使用状態の縦断面図である。
ケース１４は、全体として手に持って操作し易い形状とし、皿状の本体１４ａ  と本体上面を覆う蓋１４ｂ  とで構成し、本体１４ａ  と蓋１４ｂ  はヒンジで開閉自在としている。この本体１４ａ  内には、一定間隔を隔て巻出しコア１を装着する駆動軸１５と、巻取りコア２を装着する駆動軸１６を設けるとともに、駆動軸１６の近くにアーム１７の基端を平面回動自在に軸支している。アーム１７の先端には、巻回した転写テープ４を被転写面に押圧するための転写ヘッド１８が装着してある。
【００１６】
巻出しコア１の駆動軸１５はギア１９と一体的に、巻取りコア２の駆動軸５はギア２０と一体的に形成し、ギア１９とギア２０はアイドルギア２１を介して噛合し、巻出しコア１と巻取りコア２は同方向に回転駆動されるようにしてある。すなわち、転写ヘッド１８に巻回されている転写テープ４が、被転写面に押圧された状態で移動していくと、転写テープ４に張力が作用し、これにより巻出しコア１が回転して新たな転写テープを繰り出すとともに、巻出しコア１の回転力がギア１９からアイドルギア２１を介してギア２０に伝えられ、巻取りコア２が常に巻出しコア１よりも高速で回転し、転写テープに弛みを生じることなく巻き取られるもので、この巻取り速度の差は、巻出しコアとその駆動軸との滑りで吸収され、転写テープ４は常に緊張状態に巻き取られる。
【００１７】
上記、巻出しコアとその駆動軸との滑りは、例えば図１に巻出しコアとして図示するように、コアの巻取り軸１ｂ（筒状）の内面に弾性変形可能な突起２５，２５を設け、この突起２５が巻出しコア１の駆動軸１５の外周面に摺接し、滑りクラッチ機構を形成することによって実現することができる。
【００１８】
先端に転写ヘッド１８が装着されるアーム１７の基端部は、巻取りコア２のギア２０の近辺においてケース１４の本体１４ａ  に平面回動自在に軸支され、転写ヘッド１８が器外に突出する転写の使用位置と、器内に位置する詰替え位置とを自由に回動できるようにしている。図示実施例では、アーム１７が器内に回動する詰替位置において、先端に装着した転写ヘッド１８が巻出しコア２と巻取りコア４の間に位置する。また、アーム１７の回動範囲、特に転写のために押圧したときの力が作用する使用位置への回動方向の終端には、本体からストッパー２２を突出させ、該ストッパー２２がアーム１７に当接して支受されるようにしている。これにより、転写ヘッドを被転写面に強く押圧することができる。
【００１９】
図１０は、転写テープ４の詰替え手順を示すものである。転写テープを最後まで使用するとケース１４の蓋１４ｂ  を開け、まず図１０の（ａ）  に示すように転写具のアーム１７を器内の方向に回動させて使用済の転写テープを取り除く。使用済の転写テープを取り除いた巻出しコア１の駆動軸１５及び巻取りコア２の駆動軸１６には、図１０の（ｂ）  に示すように、テープホルダー３に保持された新たな転写テープの巻出しコア１及び巻取りコア２を嵌め込みながらテープホルダー３を抜き取る。これにより、新たな転写テープの巻出しコア１及び巻取りコア２は、転写具のそれぞれの駆動軸１５，１６に装着される。
【００２０】
このとき、テープホルダー３に保持された転写テープは、巻出しコア１と巻取りコア２の間においてテープガイド７によって外側方に誘導されているため、必然的に内方に回動している転写ヘッド１８の外側を通過し、円滑に転写テープを装着することができる。
しかる後、図１０の（ｃ）  に示すようにアーム１７を器外の使用位置まで回動させると、巻取りコア２が巻出しコア１よりも早い速度で回転しながら転写テープを巻取り、繰り出された転写テープはピンと張った緊張状態にセットされ、転写テープの詰替えが完了する。
【００２１】
【発明の効果】
請求項1記載の本発明塗布膜転写具における詰替え用転写テープによれば、テープガイドによってテープホルダーに保持されている転写テープが、巻出しコアの巻出し点と巻取りコアの巻取り点を直線的に結ぶ線よりも外方に誘導されているため、転写ヘッドの外側を通して転写具のケースに容易に装着することができるとともに、転写ヘッドを含めて詰替える従来のカセットに比較して詰替え用の転写テープを安価に供給することができる。そして、巻出しコアと巻取りコアを保持するテープホルダーを、極めて筒単で安価に供給することができる。
【００２２】
請求項２記載の発明によれば、請求項１記載の発明において、テープホルダーに形成する巻出しコアと巻取りコアの保持手段や、テープガイドを極めて筒単な構造として一枚の板材で作ることができる。
【００２３】
請求項３記載の発明によれば、テープガイドに巻回される転写テープが一定の安定した接触状態でテープガイドに保持されるため、転写テープが妄りに外れたり、不用意に引っ掛けて巻出しコアから引き出されてしまうような虞がないとともに、二つのコアの間の転写テープが緩むことを防止できる。また、テープホルダーから転写テープを外す場合は、テープガイドと一定の接触状態にある転写テープを滑らせて外すことになり、転写テープを不用意にテープガイドに引っ掛けるようなことがなく、取扱い易いという特長がある。
【００２４】
請求項４記載の発明によれば、テープガイドに巻回される転写テープが一定の安定した接触状態でテープガイドに保持されるため、転写テープが妄りに外れたり、不用意に引っ掛けて巻出しコアから引き出されてしまうような虞がないとともに、二つのコアの間の転写テープが緩むことを防止できる。また、テープホルダーから転写テープを外す場合は、テープガイドと一定の接触状態にある転写テープを滑らせて外すことになり、転写テープを不用意にテープガイドに引っ掛けるようなことがなく、取扱い易いという特長がある。
【図面の簡単な説明】
【図１】塗布膜転写具における詰替え用転写テープの一実施例であって、詰替え用転写テープとテープホルダーを分離して示す斜視図、
【図２】図１の実施例のテープホルダーの展開図、
【図３】別の実施例であって、詰替え用転写テープとテープホルダーを分離して示す斜視図、
【図４】図３の実施例のテープホルダーの展開図、
【図５】別のテープホルダーの実施例を示す下方斜視図、
【図６】図５のテープホルダーに転写テープのコアを装着した状態を示す平面図、
【図７】さらに別のテープホルダーの実施例を展開して示す平面図、
【図８】本発明に係る詰替え用転写テープを装着する塗布膜転写具の一例であって、開蓋状態の平面図、
【図９】図５の塗布膜転写具使用状態の縦断面図、
【図１０】図８の塗布膜転写具の転写テープ詰替え手順を示す平面図。
【符号の説明】
1…巻出しコア、1a…テープガイド、1b…巻取り軸、  2…巻取りコア、2a，2c…テープガイド、2b…巻取り軸、  3…テープホルダー、3a，3b…分岐杆、  4…転写テープ、  5，6…舌片、  7…テープガイド、7a・7b…突起、  8…突起、9，10…嵌」合溝、11…摘み、12，13…突起、14…ケース、15，16…駆動軸、17…アーム、18…転写ヘッド、19・20…ギア、21…アイドルギア、  22…ストッパー、  23，24…保持筒、  25…突起。
【図１】
0003576643.tif 000002
【図２】
0003576643.tif 000003
【図３】
0003576643.tif 000004
【図４】
0003576643.tif 000005
【図５】
0003576643.tif 000006
【図６】
0003576643.tif 000007
【図７】
0003576643.tif 000008
【図８】
0003576643.tif 000009
【図９】
0003576643.tif 000010
【図１０】
0003576643.tif 000011